(57)【要約】      （修正有）【課題】表示部等として使用できる補助板を有し、筒体の側面を開封した後、再封して使用することができ、シンプルで組み立てやすい構造の包装箱を提供する。【解決手段】包装箱は、組み立て状態で、第一の糊付け板３４が第四の筒体形成板３２の内面側に糊付けされ、第一、第二、第三及び第四折罫線２０、２２、２４、３６が折れ曲がって筒体が形成される。第一の補助板４０は、切り離し用破断線４２が折れ曲がって第一の筒体形成板２６と面一な角度に配される。第二の補助板４４は、第六折罫線４６が折れ曲がって第一の補助板４０に重なり、糊付け領域４４ｂが第一の補助板４０に糊付けされる。切り離し用破断線４２と第七折罫線５０とが互いに重なり、第二の糊付け板４８は、第一及び第二の補助板４０、４４と面一な角度で第一の筒体形成板２６の外面側に重なって、開封領域２６ａに糊付けされる。開封時は、差し込み領域４４ａの端部を摘まんで引き上げる。【選択図】図２
0003235368.tif 000002
【実用新案登録請求の範囲】
【請求項１】
四角形の筒体の両端が一対の側壁部で閉鎖された包装箱であって、
一枚の箱体形成片から成り、前記箱体形成片は、第一、第二及び第三折罫線を介して順に一列に連接された第一、第二、第三及び第四の筒体形成板と、前記第一の筒体形成板の連接方向の端部に第四折罫線を介して連接された第一の糊付け板と、前記第四の筒体形成板の連接方向の端部に第五折罫線を介して連接された第一の補助板と、前記第一の補助板の連接方向の端部に第六折罫線を介して連接された第二の補助板と、前記第二の補助板の連接方向の端部に第七折罫線を介して連接された第二の糊付け板と、前記第一及び第二の側壁部を構成する複数の蓋板とを備え、
前記第一の筒体形成板の内側に、前記第一折罫線の途中の２箇所を起点とする破断線であって、一部が前記第四折罫線に沿うように配置された第一破断線が設けられ、前記第一の筒体形成板は、前記第一破断線により、前記第一破断線及び前記第一折罫線で囲まれた開封領域とその他の領域である本体領域とに区切られ、
前記第二の補助板の内側に、前記第七折罫線の両端を起点とする第二破断線が設けられ、前記第二の補助板は、前記第二破断線により、前記第二の糊付け板に連続する差し込み領域と、前記第一の補助板に連続する糊付け領域とに区切られ、
組み立て状態で、前記第一の糊付け板が前記第四の筒体形成板の内面側に糊付けされ、前記第一、第二、第三及び第四折罫線が折れ曲がって前記筒体が形成され、複数の前記蓋板が互いに重なって前記側壁部が一対に形成され、前記第一の補助板は、前記第五の折罫線が折れ曲がって前記第一の筒体形成板と面一な角度に配され、前記第二の補助板は、前記第六折罫線が折れ曲がって前記第一の補助板に重なり、前記糊付け領域が前記第一の補助板に糊付けされ、前記第五折罫線と前記第七折罫線とが互いに重なり、前記第二の糊付け板は、前記第一及び第二の補助板と面一な角度で前記第一の筒体形成板の外面側に重なって、前記開封領域に糊付けされており、
開封する時は、前記差し込み領域の端部を指で摘まんで引き上げることにより、前記第一及び第二破断線が破断し、前記筒体及び前記側壁部が立体構造を維持しつつ、前記開封領域が、前記第二の補助板から切り離された前記差し込み領域及び前記第二の糊付け板と一体に開閉可能になり、前記開封領域を開くことによって、前記筒体の中の収容物を出し入れすることができ、
再封する時は、前記開封領域を閉じて、前記差し込み領域を前記第一の糊付け板の内面側に差し込んで再封することにより、前記差し込み領域が前記第一の糊付け板により係止され、前記開封領域が閉じた状態に保持されることを特徴とする包装箱。
【請求項２】
前記第五折罫線が切り離し用破断線により構成され、前記開封の後、前記切り離し用破断線を破断させることによって、前記筒体から前記第一の補助板及び前記糊付け領域を切り離すことができる請求項１記載の包装箱。
【請求項３】
前記第七折罫線が途中で中断され、前記差し込み領域の内側に、前記第七折罫線の中断された部分と切り込み線とで囲まれた再封用摘み部が設けられ、
再封した状態で、前記摘み部は、前記第四の筒体形成板を超えて側方に突出する請求項１又は２記載の包装箱。
【請求項４】
前記第二破断線の途中の位置に透孔が設けられ、前記差し込み領域の端縁部に、前記透孔の内側に向かって突出する開封用摘み部が設けられている請求項１乃至３のいずれか記載の包装箱。
【考案の詳細な説明】
【技術分野】
【０００１】
本考案は、吊り下げ部や表示部として使用できる補助板を有した包装箱に関する。
【背景技術】
【０００２】
従来、例えば特許文献１の図２、図３に開示されているように、吊り下げ板、天面板、正面板、底面板、背面板が順次連接され、天面板、正面板、底面板、背面板で四角形の筒体が形成され、筒体の両端部が複数の側面板等で構成される一対の側壁部で閉鎖され、吊り下げ板が筒体から上向きに突出しているハンガーディスプレイカートンがあった。このカートンは、正面板と底面板との境界部に切り込み線が設けられ、この切り込み線の両端から正面板の天面板近傍に向けて、正面板を区画するつなぎ付き引き裂き線が設けられている。したがって、開封する時は、切り込み線の部分を指で摘まんで引き上げ、つなぎ付き引き裂き線を破断させて正面板を広く開放させ、中の商品等を取り出す。
【先行技術文献】
【特許文献】
【０００３】
【特許文献１】特開２００７−９１２８２号公報
【考案の概要】
【考案が解決しようとする課題】
【０００４】
特許文献１のハンガーディスプレイカートンは、再封構造を備えておらず、開封した後、商品等を箱体の中に戻して保管したり携帯したりすることは考慮されていない。また、吊り下げ板は、商品等に関する様々な情報が表示される場合が多いので、購入者が箱体から切り離して情報カードとして使用できると便利である。しかしながら、特許文献１のハンガーディスプレイカートンは、吊り下げ板を切り離して使用することは考慮されていない。
【０００５】
本考案は、上記背景技術に鑑みて成されたものであり、表示部等として使用できる補助板を有し、筒体の側面を開封した後、再封して使用することができ、シンプルで組み立てやすいな構造の包装箱を提供することを目的とする。
【課題を解決するための手段】
【０００６】
本考案は、四角形の筒体の両端が一対の側壁部で閉鎖された包装箱であって、一枚の箱体形成片から成り、前記箱体形成片は、第一、第二及び第三折罫線を介して順に一列に連接された第一、第二、第三及び第四の筒体形成板と、前記第一の筒体形成板の連接方向の端部に第四折罫線を介して連接された第一の糊付け板と、前記第四の筒体形成板の連接方向の端部に第五折罫線を介して連接された第一の補助板と、前記第一の補助板の連接方向の端部に第六折罫線を介して連接された第二の補助板と、前記第二の補助板の連接方向の端部に第七折罫線を介して連接された第二の糊付け板と、前記第一及び第二の側壁部を構成する複数の蓋板とを備え、
前記第一の筒体形成板の内側に、前記第一折罫線の途中の２箇所を起点とする破断線であって、一部が前記第四折罫線に沿うように配置された第一破断線が設けられ、前記第一の筒体形成板は、前記第一破断線により、前記第一破断線及び前記第一折罫線で囲まれた開封領域とその他の領域である本体領域とに区切られ、
前記第二の補助板の内側に、前記第七折罫線の両端を起点とする第二破断線が設けられ、前記第二の補助板は、前記第二破断線により、前記第二の糊付け板に連続する差し込み領域と、前記第一の補助板に連続する糊付け領域とに区切られ、
組み立て状態で、前記第一の糊付け板が前記第四の筒体形成板の内面側に糊付けされ、前記第一、第二、第三及び第四折罫線が折れ曲がって前記筒体が形成され、複数の前記蓋板が互いに重なって前記側壁部が一対に形成され、前記第一の補助板は、前記第五の折罫線が折れ曲がって前記第一の筒体形成板と面一な角度に配され、前記第二の補助板は、前記第六折罫線が折れ曲がって前記第一の補助板に重なり、前記糊付け領域が前記第一の補助板に糊付けされ、前記第五折罫線と前記第七折罫線とが互いに重なり、前記第二の糊付け板は、前記第一及び第二の補助板と面一な角度で前記第一の筒体形成板の外面側に重なって、前記開封領域に糊付けされており、
開封する時は、前記差し込み領域の端部を指で摘まんで引き上げることにより、前記第一及び第二破断線が破断し、前記筒体及び前記側壁部が立体構造を維持しつつ、前記開封領域が、前記第二の補助板から切り離された前記差し込み領域及び前記第二の糊付け板と一体に開閉可能になり、前記開封領域を開くことによって、前記筒体の中の収容物を出し入れすることができ、
再封する時は、前記開封領域を閉じて、前記差し込み領域を前記第一の糊付け板の内面側に差し込んで再封することにより、前記差し込み領域が前記第一の糊付け板により係止され、前記開封領域が閉じた状態に保持される包装箱である。
【０００７】
前記第五折罫線が切り離し用破断線により構成され、前記開封の後、前記切り離し用破断線を破断させることによって、前記筒体から前記第一の補助板及び前記糊付け領域を切り離すことができる構成にしてもよい。
【０００８】
前記第七折罫線が途中で中断され、前記差し込み領域の内側に、前記第七折罫線の中断された部分と切り込み線とで囲まれた再封用摘み部が設けられ、再封した状態で、前記摘み部は、前記第四の筒体形成板を超えて側方に突出する構成にすることが好ましい。また、前記第二破断線の途中の位置に透孔が設けられ、前記差し込み領域の端縁部に、前記透孔の内側に向かって突出する開封用摘み部が設けられている構成にすることが好ましい。
【考案の効果】
【０００９】
本考案の包装箱は、構造がシンプルで組み立てやすく、開封する時は、第一及び第二破断線を破断させ、第一の筒体形成板の開封領域を広く開放させることにより、中の商品等を容易に取り出すことができる。そして、開封領域及び第二の糊付け板を蓋片として元の位置に戻し、第二の補助板の差し込み領域を第一の糊付け片の内面に係止させることによって、開放した部分を閉じた状態に保持させることができる。従って、開封した後、商品等を箱体の中に戻し、再封して保管したり携帯したりする使い方ができる。
【００１０】
また、第一及び第二の補助板を箱体から切り離すための切り離し用破断線を設けることによって、開封した後、第一及び第二の補助板を情報カード等として使用することが可能になる。しかも、第一及び第二の補助板が切り離されても箱体の形状は維持され、蓋片の開閉や再封も支障なく行うことができるので、商品等を箱体に入れた状態でコンパクトに携帯することができる。
【図面の簡単な説明】
【００１１】
【図１】本考案の包装箱の一実施形態の組み立て状態を、第一の補助板の側から見た斜視図（ａ）、第二の補助板の側から見た斜視図（ｂ）である。
【図２】この実施形態の包装箱を展開した箱体形成片を表面側から見た平面図である。
【図３】この実施形態の包装箱の組み立て途中の状態を示す斜視図である。
【図４】この実施形態の包装箱の組み立て途中の状態を示す斜視図である。
【図５】この実施形態の包装箱の組み立て途中の状態を示す斜視図である。
【図６】この実施形態の包装箱の組み立て状態の、側方から見た縦断面図である。
【図７】この実施形態の包装箱が開封された状態を示す斜視図（ａ）、側方から見た縦断面図（ｂ）である。
【図８】この実施形態の包装箱が再封された状態を示す斜視図（ａ）、側方から見た縦断面図（ｂ）である。
【考案を実施するための形態】
【００１２】
以下、本発明の包装箱の一実施形態について、図面に基づいて説明する。この実施形態の包装箱１０は、図１（ａ）、（ｂ）に示すように、四角形の筒体１２の両端が一対の側壁部１４ａ，１４ｂで閉鎖され、吊り下げ部や表示部として使用されるポップ部１６が筒体１２から延出している包装箱である。
【００１３】
包装箱１０は、厚紙等で成る一枚の箱体形成片１８を組み立てることによって形成される。箱体形成片１８は、図２に示すように、第一、第二及び第三折罫線２０，２２，２４を介して順に一列に連接された第一、第二、第三及び第四の筒体形成板２６，２８，３０，３２を有している。各筒体形成板は四角形の筒体１２を形成するための板で、連接方向と直角な幅方向の長さが同じで、連接方向の長さは、第一及び第三の筒体形成板２６，３０が少し長くて互いにほぼ等しく、第二及び第四の筒体形成板２８，３２が少し短くて互いにほぼ等しい。さらに、第一の筒体形成板２６の連接方向の端部には、第一の糊付け板３４が連接され、第四折罫線３６で第一の筒体形成板と区切られている。第一の糊付け板３４は、４つの筒体形成板２６，２８，３０，３２で筒体１２を形成するため、第四の筒体形成板２の端部に糊付けされる板である。
【００１４】
また、第一の筒体形成板２６の内側には、第一折罫線２０の途中の２箇所を起点とする破断線であって、一部が第四折罫線３６に沿うように配置された第一破断線３８が設けられ、第一の筒体形成板２６は、第一破断線３８によって、第一破断線３８及び第一折罫線２０で囲まれた開封領域２６ａと、その他の領域である本体領域２６ｂとに区切られている。開封領域２６ａは開封時に開放され、再封する時に蓋片として使用される。
【００１５】
第四の筒体形成板３２の連接方向の端部には、ポップ部１６等を形成するための複数の部材が設けられており、以下、これらについて順に説明する。
【００１６】
第四の筒体形成板３２の連接方向の端部には、略長方形の第一の補助板４０が連接され、切り離し用破断線４２で第四の筒体形成板３２と区切られている。さらに、第一の補助板４０の連接方向の端部には、第一の補助板４０とほぼ同じ大きさの第二の補助板４４が延設され、第六折罫線４６で第一の補助板４０と区切られている。そして、第二の補助板４４の連接方向の端部には、第一及び第三の筒体形成板２６，３０とほぼ同じ大きさの第二の糊付け板４８が延設され、第七折罫線５０で第二の補助板４４と区切られている。
【００１７】
第二の補助板４４の内側には、第七折罫線５０の両端を起点とする第二破断線５２が設けられ、第二の補助板４４は、第二破断線５２によって、第二の糊付け板４８に連続する差し込み領域４４ａと、第一の補助板４０に連続する糊付け領域４４ｂとに区切られている。また、第七折罫線５０が途中で中断され、差し込み領域４４ａの内側に、第七折罫線５０の中断された部分と切り込み線５４とで囲まれた再封用摘み部５６が設けられている。さらに、第二破断線５２の途中の位置に透孔５８が設けられ、差し込み領域４４ａの端縁部に、透孔５８の内側に向かって突出する開封用摘み部６０が設けられている。その他、第一及び第二の補助板４０，４４の、第六折罫線４６を挟んで対応する位置に、吊り下げ孔６２が一対に設けられている。
【００１８】
各筒体形成板の、図２における上側の端部には、図１に示す側壁部１４ａを形成するための複数の部材が設けられ、下側の端部には側壁部１４ｂを形成するための複数の部材が設けられており、以下これらについて順に説明する。
【００１９】
第一の筒体形成板２６の上側の端部には、略長方形の内壁片６４が延設され、折罫線６６で第一の筒体形成板２６と区切られている。内壁片６４の延出長さは、第二及び第四の筒体形成板２８，３２の連接方向の長さよりも少し短い。また、下側の端部にも、内壁片６４とほぼ同じ大きさの内壁片６８が延設され、折罫線７０で第一の筒体形成板２６と区切られている。
【００２０】
第二の筒体形成板２８の上側の端部には、台形状のサイドフラップ７２が延設され、折罫線７４で第二の筒体形成板２８と区切られている。また、下側の端部にも、サイドフラップ７２とほぼ同じ大きさのサイドフラップ７６が延設され、折罫線７８で第二の筒体形成板２８と区切られている。
【００２１】
第三の筒体形成板３０の上側の端部には、略長方形の外壁片８０が延設され、折罫線８２で第三の筒体形成板３０と区切られている。外壁片８０の延出長さは、第二及び第四の筒体形成板２８，３２の連接方向の長さとほぼ同じか僅かに短い。また、下側の端部にも、外壁片８０とほぼ同じ大きさの外壁片８４が延設され、折罫線８６で第三の筒体形成板３０と区切られている。
【００２２】
第四の筒体形成板３２の上側の端部には、台形状のサイドフラップ８８が延設され、折罫線９０で第四の筒体形成板３２と区切られている。また、下側の端部にも、サイドフラップ８８とほぼ同じ大きさのサイドフラップ９２が延設され、折罫線９４で第四の筒体形成板２８と区切られている。
【００２３】
次に、包装箱１０の組み立て方法の一例を説明する。ここでは、図２に示す箱体形成片１８の各折罫線及び破断線の折り曲げ方について、表面が凸になる折り方を正折り、裏面が凸になる折り方を逆折りと称する。
【００２４】
まず、第一の糊付け板３４を第四の折罫線３６で正折りし、第一の筒体形成板２６の裏面に重ねる。そして、第一の糊付け板３４の表面に糊９６を塗布した後、第二の折罫線２２を正折りし、第一の糊付け板３４、第一及び第二の筒体形成板２６，２８を第三及び第四の筒体形成板３０，３２の裏面に重ね、第一の糊付け板３４を第四の筒体形成板３２の端部に糊付けする。これで図３に示す状態になる。
【００２５】
さらに、第二の補助板４４の糊付け領域４４ｂの裏面の中央部及び第二の糊付け板４８の裏面に中央部に糊９８，１００を各々塗布した後、第六の折罫線４６を正折りし、糊付け領域４４ｂを第一の補助板４０に重ねて糊付けし、第二の糊付け板４８を第一の筒体形成板２６の開封領域２６ａに重ねて糊付けする。これで図４に示す状態になり、箱体形成片１８は、この折り畳み状態で包装箱１０の製造工場等から出荷される。
【００２６】
次に、収容物を包装する工場等において、図５に示すように、第一〜第四折罫線２０，２２，２４，３６を各々９０度に正折りし、四角形の筒体１２を形成する。この時、切り離し用破断線４２も同時に９０度に逆折りして、第一及び第二の補助板４０，４４を、第一の筒体形成板２６及び第二の糊付け板４８と面一な角度に配置させる。
【００２７】
その後、筒体１２の一端部を閉鎖するため、サイドフラップ７２，８８を折罫線７４，９０で各々９０度に正折りし、内壁片６４を折罫線６６で９０度に正折りし、内壁片６４の表面に糊（図示せず）を塗布した後、外壁片８０を折罫線８２で９０度に正折りし、外壁片８０を内壁片６４に糊付けする。これで筒体１２の一端部が側壁部１４ａで閉鎖され、反対側の開放している端部から商品等を入れる。
【００２８】
商品等を入れると、筒体１２の他方の端部を閉鎖するため、サイドフラップ７６，９２を折罫線７８，９４で各々９０度に正折りし、内壁片６８を折罫線７０で９０度に正折りし、内壁片６８の表面に糊（図示せず）を塗布した後、外壁片８４を折罫線８６で９０度に正折りし、外壁片８４を内壁片６８に糊付けする。これで筒体１２の他端部も側壁部１４ｂで閉鎖される。
【００２９】
これで図１（ａ）、（ｂ）示す組み立て状態となり、四角形の筒体１２の両端が一対の側壁部１４ａ，１４ｂで閉鎖され、吊り下げたり情報を表示したりためのポップ部１６が筒体１２から延設している包装箱１０が形成される。
【００３０】
組み立て状態の包装箱１０の内部構造は、図６に示すように、第一の糊付け板３４が第四の筒体形成板３２の内面側に糊付けされ、第一、第二、第三及び第四折罫線２０，２２，２４，３６が折れ曲がって筒体１２が形成される。第一の補助板４０は、切り離し用破断線４２で折れ曲がって第一の筒体形成板２６と面一な角度に配される。第二の補助板４４（差し込み領域４４ａ及び糊付け領域４４ｂ）は第六折罫線４６で折れ曲がって第一の補助板４０に重なり、糊付け領域４４ｂが第一の補助板４０に糊付けされ、切り離し用破断線４２と第七折罫線５０とが互いに重なる。そして、第二の糊付け板４８は、第一及び第二の補助板４０，４４と面一な角度で第一の筒体形成板２６の外面側に重なって、開封領域２６ａに糊付けされる。
【００３１】
包装箱１０を開封する時は、第二の補助板４４の透孔５８から見えている開封用摘み部６０を指で摘まんで少し引き上げる。これにより、最初に第二破断線５２が破断して差し込み領域４４ａが糊付け領域４４ｂから分離する。さらに開封用摘み部６０が引き上げられると、差し込み領域４４ａに連続する第二の糊付け板４８及び第一の筒体形成板２６の開封領域２６ａが一緒に引っ張られて第一破断線３８が破断し、開封領域２６ａが本体領域２６ｂから分離する。これで図７（ａ）、（ｂ）に示すように、第一の筒体形成板２６の開封領域２６ａが広く開放され、中の商品等を取り出すことができる。
【００３２】
包装箱１０を再封する時は、図８（ａ）、（ｂ）に示すように、開封領域２６ａ及び第二の糊付け板４８を蓋片として元の位置に戻し、差し込み領域４４ａを第七折罫線５０で９０度に折り曲げ、糊付け片３４の内面側に差し込んで係止させ、開放した部分を閉じた状態に保持させる。
【００３３】
また、この再封状態にすると、再封用摘み部５６が差し込み領域４４ａから抜け出して第四の筒体形成板３２を超えて側方に突出するので、再封用摘み部５６を利用すると、蓋片を繰り返し開いたり再封したりする時に便利である。また、ポップ部１６は、切り離し用破断線４２を破断させることによって、筒体１２から簡単に分離させることができる。
【００３４】
以上説明したように、包装箱１０は、構造がシンプルで組み立てやすく、開封する時は、第一及び第二破断線３８，５２を破断させ、第一の筒体形成板２６の開封領域２６ａを広く開放させることにより、中の商品等を容易に取り出すことができる。そして、開封領域２６ａ及び第二の糊付け板４８を蓋片として元の位置に戻し、差し込み領域４４ａを第一の糊付け片３４の内面に係止させることによって、開放した部分を閉じた状態に保持させることができる。つまり、開封した後、商品等を箱体の中に戻し、再封して保管したり携帯したりする使い方ができる。
【００３５】
また、ポップ部１６（第一の補助板４０及び第二の補助板４４の糊付け領域４４ｂ）を箱体から切り離すための切り離し用破断線４２を備えているので、開封した後、ポップ部１６を箱体から切り離して情報カード等として使用することができる。しかも、ポップ部１６が切り離されても箱体の形状が維持され、蓋片の開閉や再封も支障なく行うことができるので、商品等を箱体に入れた状態でコンパクトに携帯することができる。
【００３６】
なお、本考案の包装箱は上記実施形態に限定されるものではない。例えば、包装箱１０のポップ部１６には、吊り下げ機能を持たせるために吊り下げ孔６２が設けてあるが、必要なければ吊り下げ孔６２は省略してもよい。また、ポップ部１６を箱体から切り離して使用できるように切り離し用破断線４２を設けているが、切り離す必要がなければ、切り離し用破断線４２を折罫線（第五折罫線４２）に置き換えればよい。
【００３７】
その他、箱体の大きさは商品等の大きさに合わせて適宜変更することができ、ポップ部となる部分の大きさや形状も自由に設定することができる。
【符号の説明】
【００３８】
１０  包装箱
１２  筒体
１４ａ，１４ｂ  側壁部
１８  箱体形成片
２０  第一折罫線
２２  第二折罫線
２４  第三折罫線
２６  第一の筒体形成板
２６ａ  開封領域
２６ｂ  本体領域
２８  第二の筒体形成板
３０  第三の筒体形成板
３２  第四の筒体形成板
３４  第一の糊付け板
３６  第四折罫線
３８  第一破断線
４０  第一の補助板
４２  切り離し用破断線（第五折罫線）
４４  第二の補助板
４４ａ  差し込み領域
４４ｂ  糊付け領域
４６  第六折罫線
４８  第二の糊付け板
５０  第七折罫線
５２  第二破断線
５４  切り込み線
５６  再封用摘み部
５８  透孔
６０  開封用摘み部
９６，９８，１００  糊
【図１】
0003235368.tif 000003
【図２】
0003235368.tif 000004
【図３】
0003235368.tif 000005
【図４】
0003235368.tif 000006
【図５】
0003235368.tif 000007
【図６】
0003235368.tif 000008
【図７】
0003235368.tif 000009
【図８】
0003235368.tif 000010